(57)【要約】【課題】  無線ＬＡＮのアクセスポイントのパスワードを設定する等、ユーザ以外の人に見られてはならない設定情報について、設定情報入力シートを用いて設定した場合、ユーザが加筆した設定情報入力シートの内容が流失することがなく、したがって、セキュリティが高い設定情報入力装置および設定情報入力方法を提供することを目的とする。【解決手段】  ユーザが加筆した設定情報入力シートを読み取った後に、その設定情報入力シートに上書き印刷する設定情報入力装置および設定情報入力方法である。【選択図】  図１
2006338292.tif 000002
【特許請求の範囲】
【請求項１】
電子機器の設定を入力する設定情報入力装置において、
設定情報入力シートを作成する設定情報入力シート作成手段と；
上記設定情報入力シートを印刷する設定情報入力シート印刷手段と；
設定情報入力作業者によって加筆された上記設定情報入力シートを読み取る設定情報読取手段と；
上記読取手段が読み取った情報を解析し、設定項目毎に、設定情報を識別する設定情報解析手段と；
上記設定情報解析手段によって識別された設定情報を、電子機器に設定する設定情報設定手段と；
上記設定情報入力作業者によって加筆された設定情報入力シートを読み取った後に、上記加筆された設定情報入力シートを上書きする設定情報入力シート上書き手段と；
を有することを特徴とする設定情報入力装置。
【請求項２】
請求項１において、
上記設定情報読取手段は、光学読取手段、磁気的読取手段、機械的読取手段のうちの少なくとも１つの手段であることを特徴とする設定情報入力装置。
【請求項３】
請求項１において、
上記上書きは、上記設定情報入力シートの印刷面を全て黒く塗りつぶす方式、上記設定情報入力シート中のパスワードの加筆部分だけを黒く塗りつぶす方式、同じところを数回黒く塗りつぶす方式、上記設定情報入力作業者が加筆した文書と関係のない文書を印刷する方式、上記設定情報入力シートの両面を黒く塗りつぶす方式のうちの少なくとも１つの方式による上書きであることを特徴とする設定情報入力装置。
【請求項４】
請求項１において、
上記電子機器は、ＯＡ機器または情報家電であることを特徴とする設定情報入力装置。
【請求項５】
請求項１において、
上記電子機器の設定は、上記電子機器のネットワークの設定であることを特徴とする設定情報入力装置。
【請求項６】
電子機器の設定を入力する設定情報入力方法において、
設定情報入力シートを作成する設定情報入力シート作成工程と；
上記設定情報入力シートを印刷する設定情報入力シート印刷工程と；
設定情報入力作業者によって加筆された上記設定情報入力シートを、読取手段が読み取る設定情報読取工程と；
上記読取工程で読み取った情報を解析し、設定項目毎に、設定情報を識別し、記憶装置に記憶する設定情報解析工程と；
上記設定情報解析工程で識別された設定情報を、上記電子機器に設定する設定情報設定工程と；
上記設定情報入力作業者によって加筆された設定情報入力シートを読み取った後に、上記加筆された設定情報入力シートを上書きする設定情報入力シート上書き工程と；
を有することを特徴とする設定情報入力方法。
【請求項７】
請求項６において、
上記設定情報読取工程は、光学読取工程、磁気的読取工程、機械的読取工程のうちの少なくとも１つの工程であることを特徴とする設定情報入力方法。
【請求項８】
請求項６において、
上記設定情報入力シート上書き工程の後に、上記設定情報設定工程を実行することを特徴とする設定情報入力方法。
【請求項９】
請求項６において、
上記設定情報設定工程の後に、上記設定情報入力シート上書き工程を実行することを特徴とする設定情報入力方法。
【請求項１０】
請求項６において、
上記電子機器は、ＯＡ機器または情報家電であることを特徴とする設定情報入力方法。
【請求項１１】
請求項６において、
上記電子機器の設定は、上記電子機器のネットワークの設定であることを特徴とする設定情報入力方法。
【請求項１２】
電子機器の設定を入力する場合、
設定情報入力シートを作成する設定情報入力シート作成手順と；
上記設定情報入力シートを印刷する設定情報入力シート印刷手順と；
設定情報入力作業者によって加筆された上記設定情報入力シートを、読取手段が読み取る設定情報読取手順と；
上記読取手順で読み取った情報を解析し、設定項目毎に、設定情報を識別し、記憶装置に記憶する設定情報解析手順と；
上記設定情報解析手順で識別された設定情報を、上記電子機器に設定する設定情報設定手順と；
上記設定情報入力作業者によって加筆された設定情報入力シートを読み取った後に、上記加筆された設定情報入力シートを上書きする設定情報入力シート上書き手順と；
をコンピュータに実行させるプログラム。
【発明の詳細な説明】
【技術分野】
【０００１】
本発明は、設定情報入力シートを用いた設定情報入力装置および設定情報入力方法に関する。
【背景技術】
【０００２】
従来、電子機器の設定を入力する作業は、一般的に、複雑であり、設定項目全体に関する知識と、設定対象の動作に関する知識とが要求される。また、高機能な電子機器は、設定項目が多く、したがって、高機能な電子機器であればある程、使い難いという欠点がある。
【０００３】
この欠点を克服するために、設定項目を記入したシートを、読取装置を用いて読み取り、電子機器を設定する方式が提案されている。
【０００４】
すなわち、設定情報入力形式提供手段から、光学読取手段の読取能力に応じて図形・文字・記号を配置した設定情報入力形式を取得し、光学読取手段の読み取り能力に適するように印刷し、設定情報記入シートを作成し、ユーザが設定情報を加筆した設定情報記入シートを光学読取手段で読み取り、設定情報入力形式と設定情報記入シートとを照合し、設定情報を抽出し、電子機器の設定を行うことが知られている（たとえば、特許文献１参照）。
【０００５】
また、記入シートに記入されている電子機器を選択し、制御するための画像情報を読み取り、画像情報を中央装置へ送り、中央装置において画像情報を制御信号に変化し、ネットワークでつながっている様々な電子機器の設定を行うことが知られている（たとえば、特許文献２参照）。
【０００６】
制御方法が記述されたシート、または、制御方法を記述できるシートを読み取り、電子機器を制御することが知られ、また、電子機器のある時点の設定値や、その時点で記憶されている特定の操作を、制御方法が記述されたシートとして、印刷することが知られている（たとえば、特許文献３参照）。
【特許文献１】特開２００１−２１１２８４号公報
【特許文献２】特開２００３−３０７７４号公報
【特許文献３】特開２００３−２６３６１４号公報
【発明の開示】
【発明が解決しようとする課題】
【０００７】
従来の設定情報入力方法は、設定情報入力シートを用いてビデオの予約設定やコピー機の設定に関する方法である。
【０００８】
しかし、ビデオの予約設定やコピー機の設定に限らず、あらゆる電子機器の設定が可能であるので、たとえば、無線ＬＡＮ対応の電子機器のパスワード設定等、ユーザ以外の人に見られてはならない設定情報を、上記設定情報入力シートを使用して設定すると、設定情報入力シートにユーザが加筆した設定情報が残リ、セキュリティ上、問題である。
【０００９】
本発明は、無線ＬＡＮのアクセスポイントのパスワードを設定する等、ユーザ以外の人に見られてはならない設定情報について、設定情報入力シートを用いて設定した場合、ユーザが加筆した設定情報入力シートの内容が流失することがなく、したがって、セキュリティが高い設定情報入力装置および設定情報入力方法を提供することを目的とする。
【課題を解決するための手段】
【００１０】
本発明は、ユーザが加筆した設定情報入力シートを読み取った後に、その設定情報入力シートに上書き印刷する設定情報入力装置および設定情報入力方法である。
【発明の効果】
【００１１】
本発明によれば、無線ＬＡＮのアクセスポイントのパスワードを設定する等、ユーザ以外の人に見られてはならない設定情報について、設定情報入力シートを用いて設定した場合、設定情報入力シートを読み取った後に、その設定情報入力シートに上書き印刷するので、ユーザが加筆した設定情報入力シートの内容が流失することがなく、したがって、セキュリティが高いという効果を奏する。
【発明を実施するための最良の形態】
【００１２】
発明を実施するための最良の形態は、次の実施例である。
【実施例１】
【００１３】
実施例１は、設定情報入力シートを用いて複合機の無線ＬＡＮを設定する場合であって、複合機等のＣＣＤやＣＩＳによって構成されている読取部が、設定情報入力シートを読み取り、ユーザが加筆した設定情報入力シートを読取、解析した後に、ユーザが加筆した設定情報入力シートを、ユーザが手動で給紙部にセットし、上書きする実施例である。
【００１４】
図１は、本発明の実施例１である画像処理システム１００の全体の構成を示すブロック図である。
【００１５】
画像処理システム１００は、複合機１０と、ＰＣ２０と、無線ＬＡＮユニット３０と、アクセスポイントＡＰ１、ＡＰ２、ＡＰ３とを有する。
【００１６】
図１において、複合機１０（詳細は後述する）は、本発明の画像処理装置の例であり、プリンタ・スキャナ等の機能を備えている。なお、複合機１０の代わりに、単機能のプリンタ等を使用するようにしてもよい。
【００１７】
ＰＣ２０は、その詳細を後述するが、無線ＬＡＮユニット３０を介して、アクセスポイントＡＰ２と接続されている。この間は、有線で接続されていても、無線で接続されていてもよく、実施例１では、無線で接続されている。
【００１８】
無線ＬＡＮユニット３０は、その詳細を後述するが、ＵＳＢを介して、複合機１０と接続されている。また、無線ＬＡＮユニット３０は、アクセスポイントＡＰ２とＬＡＮ（ローカルエリアネットワーク）によって接続されている。無線ＬＡＮユニット３０とアクセスポイントＡＰ２との間は、有線で接続されていても、無線で接続されていてもよいが、実施例１では、無線で接続されている。
【００１９】
また、図１では、複合機１０と無線ＬＡＮユニット３０とが分離され、ＵＳＢで接続されているが、この２つを合体させ、複合機１０の機能に、無線ＬＡＮユニット３０の機能を含むようにしてもよい。
【００２０】
これらによって、ＰＣ２０と複合機１０とが、ＵＳＢ等を用いて直接接続されているのではなく、ＬＡＮを通して接続されているが、ＰＣ２０と複合機１０との間の制御プロトコルについては、公知の方法を用いる。
【００２１】
また、アクセスポイントＡＰ１とＡＰ３とは、ＰＣ２０にも、無線ＬＡＮユニット３０にも、どちらにも接続されていない。
【００２２】
次に、複合機１０について説明する。
【００２３】
図２は、複合機１０の概略構成を示すブロック図である。
【００２４】
複合機１０は、ＣＰＵ１と、ＲＯＭ２と、ＲＡＭ３と、画像メモリ４と、データ変換部５と、読取制御部６と、読取部７と、操作表示部８と、通信制御部９と、符号復号化処理部１１と、記録制御部１２と、ＵＳＢファンクション制御部１３と、ＵＳＢホスト制御部１４と、記録部１５と、解像度変換処理部１６と、ＣＰＵバス１７を有する。
【００２５】
ＣＰＵ１は、システム制御部であり、複合機１０の全体を制御する。
【００２６】
ＲＯＭ２は、ＣＰＵ１が実行する制御プログラムやデータテーブル、組み込みオペレーティングシステム（ＯＳ）プログラム等の固定データを格納する。実施例１では、ＲＯＭ２に格納されている各制御プログラムは、ＲＯＭ２に格納されている組み込みＯＳの管理下で、スケジューリングやタスクスイッチ、割り込み処理等のソフトウエア実行制御を行う。
【００２７】
ＲＡＭ３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によって、データが保持されている。ＲＡＭ３には、データが消去されては困るプログラム制御変数等を格納する。また、オペレータが登録した設定値や複合機１０の管理データ等を格納するメモリエリアも設けられている。
【００２８】
画像メモリ４は、ＤＲＡＭ（Ｄｙｎａｍｉｃ  Ｒａｎｄｏｍ  Ａｃｃｅｓｓ  Ｍｅｍｏｒｙ）等で構成され、画像データを蓄積する。また、一部の領域をソフトウエア処理の実行のためのワークエリアとして確保してある。
【００２９】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、画像データの変換を行う。
【００３０】
読取制御部６は、読取部７におけるＣＩＳイメージセンサ（密着型イメージセンサ）が原稿を光学的に読み取り、電気的な画像データに変換した画像信号を、図示しない画像処理制御部を介して、２値化処理や中間調処理等の各種画像処理を施し、高精細な画像データを出力する。なお、実施例１では、読取制御部６、読取部７は、原稿を搬送しながら、固定されているＣＩＳイメージセンサで読み取りを行うシート読取制御方式と、原稿台に固定されている原稿を、移動するＣＩＳイメージセンサでスキャンするブック読取制御方式の両制御方式に対応している。
【００３１】
操作表示部８は、数値入力キー、文字入力キー、モード設定キー、決定キー、取り消しキー等を備えた操作表示部と、各種キー、ＬＥＤ（発光ダイオード）とＬＣＤ（液晶ディスプレイ）等によって構成され、ユーザが、複合機としての各種機能や、無線ＬＡＮユニット３０のネットワーク設定や、暗号鍵の入力・編集や、複合機１０の動作状況、ステータス状況の表示等を行うことができる。
【００３２】
通信制御部９は、ＭＯＤＥＭ（変復調装置）や、ＮＣＵ（網制御装置）等によって構成されている。実施例１では、通信制御部９は、アナログの通信回線（ＰＳＴＮ）Ｌ１に接続され、Ｔ３０プロトコルでの通信制御、通信回線に対する発呼と着呼等の回線制御を行う。
【００３３】
符号復号化処理部１１は、複合機１０で扱う画像データ（非圧縮、ＭＨ、ＭＲ、ＭＭＲ、ＪＢＩＧ、ＪＰＥＧ等）を、相互に符号復号化処理し、拡大縮小処理を行う。
【００３４】
記録制御部１２は、印刷される画像データに対し、図示しない画像処理制御部を介して、スムージング処理や記録濃度補正処理、色補正等の各種画像処理を施すことによって、高精細な画像データに変換し、ＵＳＢホスト制御部１４に出力する。また、ＵＳＢホスト制御部１４を制御することによって、記録部１５の状態情報データを定期的に取得する。
【００３５】
ＵＳＢファンクション制御部１３は、ＵＳＢインタフェースの通信制御を行うものであり、ＵＳＢ通信規格に従って、プロトコル制御を行い、ＣＰＵ１が実行するＵＳＢファンクション制御タスクからのデータを、パケットに変換し、外部の図示しないＰＣや無線ＬＡＮユニット３０に、ＵＳＢパケット送信し、逆に、外部のＰＣや無線ＬＡＮユニット３０から受信したＵＳＢパケットを、データに変換し、ＣＰＵ１に送信する。
【００３６】
ＵＳＢホスト制御部１４は、ＵＳＢ通信規格で定められているプロトコルで通信を行う制御部である。ＵＳＢ通信規格は、双方向のデータ通信を高速に実行できる規格であり、１台のホスト（マスター）に、複数のハブまたはファンクション（スレーブ）を接続することができる。ＵＳＢホスト制御部１４は、ＵＳＢ通信におけるホストの機能を有する。
【００３７】
記録部１５は、図示しない専用ＣＰＵで制御するレーザビームプリンタやインクジェットプリンタ等によって構成されている記録装置であり、ＵＳＢインタフェース経由で受信したカラー画像データ、またはモノクロ画像データを印刷部材に印刷する。ＵＳＢホスト制御部１４との間で、ＵＳＢ通信規格で定められたプロトコルで通信を行い、特に、記録部１５は、ファンクションの機能を有する。実施例１においては、記録機能のＵＳＢ通信は、１対１の接続形態を用いる。また、実施例１においては、ＵＳＢ対応とする。
【００３８】
解像度変換処理部１６は、ミリ系の画像データとインチ系の画像データの相互変換等の解像度変換制御を行う。なお、解像度変換処理部１６において、画像データの拡大縮小処理も可能である。
【００３９】
上記構成要素１〜６、８、９、１１〜１４、１６は、ＣＰＵ１が管理するＣＰＵバス１７を介して、相互に接続されている。
【００４０】
次に、複合機１０とともに画像処理システム１００を構成する情報処理端末等のＰＣ２０の概略構成について説明する。
【００４１】
図３は、ＰＣ２０の構成例を示すブロック図である。
【００４２】
ＰＣ２０は、ＣＰＵ２１と、ＲＯＭ２２と、ＲＡＭ２３と、内部記憶装置２４と、外部記憶装置２５と、操作部２６と、表示部２７と、通信部２８と、ＵＳＢホスト制御部２９とを有する。
【００４３】
ＣＰＵ２１は、ＲＯＭ２２、ＲＡＭ２３、または、内部記憶装置２４、外部記憶装置２５によって外部記憶媒体ＭＤから読み出されたプログラムに従って、システムバスを介して、ＰＣ２０の全体の動作を制御する。
【００４４】
ＲＯＭ２２は、ＣＰＵ２１の制御プログラム等を格納している。ＲＡＭ２３は、一時的にプログラムや画像データを記憶し、ＰＣ２０の処理を高速に動作させるためのものである。
【００４５】
内部記憶装置２４は、オペレーティングシステム、各種アプリケーションプログラムや画像データ等を格納している。内部記憶装置２４に、実施例１における文字データ処理工程を含む、複合機１０に対する各種制御命令や、データの送受信を行うためのアプリケーションソフト、プリンタドライバソフト、スキャナドライバソフト、ファクシミリドライバソフト、各機能毎のＵＳＢクラスドライバソフトおよびＵＳＢバスドライバソフト等がインストールされている。通常、これらのアプリケーションソフトおよびドライバソフトは、これらが記憶されたほかのコンピュータ可読媒体から、外部記憶ディスクＭＤ（フロッピー（登録商標）ディスク、ＣＤ−ＲＯＭメディア）によって、データを受け取り、外部記憶装置２５を制御することによって、インストールする。また、通信回線によって通信部２８（ネットワークやモデム）でアプリケーションソフトおよびドライバソフトを受け取り、内部記憶装置２４にインストールすることもできる。
【００４６】
操作部２６は、オペレータからの指示入力手段としてのキーボードやマウス（不図示）を制御する。印刷の実行を起動するには、通常、操作部２６のキーボードやマウスが使用される。
【００４７】
表示部２７は、オペレータに対して各種表示を行う。外部処理端末（ＰＣ２０）で印刷の実行起動をかける場合、確認ダイヤログ等を表示部２７に表示し、オペレータに入力を促す。また、印刷動作の実行中は、印刷状況を示す情報をオペレータに提供する。
【００４８】
通信部２８は、不図示のネットワークに接続し、通信回線を通してインターネットプロバイダへの接続や、相手通信装置との間で、データや画像情報等の通信を行う。なお、ネットワークや通信回線へ接続する場合、公知の方法を使用し、その説明を省略する。
【００４９】
ＵＳＢホスト制御部２９は、ＵＳＢインタフェースの通信制御を行い、ＵＳＢ通信規格に従って、ＣＰＵ２１からのデータをパケットに変換し、複合機１０にＵＳＢパケットを送信し、逆に、複合機１０からのＵＳＢパケットをデータに変換し、ＣＰＵ２１に送信する。通信制御方法については、公知の方法を使用し、その説明を省略する。
【００５０】
次に、複合機１０とともに画像処理システム１００を構成する無線ＬＡＮユニット３０の構成について説明する。
【００５１】
図４は、無線ＬＡＮユニット３０を示すブロック図である。
【００５２】
無線ＬＡＮユニット３０は、ＣＰＵ３１と、ＲＯＭ３２と、ＲＡＭ３３と、無線ＬＡＮ通信部３４と、ＵＳＢホスト制御部３５とを有する。
【００５３】
ＣＰＵ３１は、ＲＯＭ３２、ＲＡＭ３３に記録されているプログラムに従って、システムバスを介して、無線ＬＡＮユニット３０の全体の動作を制御する。
【００５４】
ＲＯＭ３２は、ＣＰＵ３１の制御プログラム等を格納している。ＲＡＭ３３は、一時的にプログラムや画像データを記憶する。
【００５５】
無線ＬＡＮ通信部３４は、無線ＬＡＮによる通信を行う部分であり、各社から供給されている無線ＬＡＮコントロールチップを用いてもよく、さらに通信の認証の手間を省くために各社から供給されているＰＣＭＣＩＡカード型無線ＬＡＮアダプタを、ＰＣＭＣＩＡカードコントローラ（不図示）を通して、ＣＰＵバスに接続するようにしてもよい。
【００５６】
ＵＳＢホスト制御部３５は、ＵＳＢインタフェースの通信制御を行うものであり、ＵＳＢ通信規格に従って、ＣＰＵ３１からのデータをパケットに変換し、複合機１０にＵＳＢパケットを送信し、逆に、複合機１０からのＵＳＢパケットをデータに変換し、ＣＰＵ３１に送信する。通信制御方法に関しては、公知の方法を使用し、その説明を省略する。
【００５７】
次に、実施例１において、複合機１０と無線ＬＡＮユニット３０との無線ＬＡＮ設定を行う場合、設定情報入力シートを用いて無線ＬＡＮ設定する動作について説明する。
【００５８】
ここで、無線ＬＡＮを設定する項目として、Ｓｅｒｖｉｃｅ  Ｓｅｔ  Ｉｄｅｎｔｉｆｉｅｒ（以下、ＳＳＩＤ）や、Ｗｉｒｅｄ  Ｅｑｕｉｖａｌｅｎｔ  Ｐｒｉｖａｃｙキー（以下、「ＷＥＰキー」という）や、Ｉｎｔｅｒｎｅｔ  Ｐｒｏｔｏｃｏｌ  Ａｄｄｒｅｓｓ（以下、「ＩＰアドレス」という）等がある。
【００５９】
上記「ＳＳＩＤ」は、無線ＬＡＮで特定のネットワークを指定するための識別名である。また、上記「ＷＥＰキー」は、無線通信における暗号化技術の１つであり、６４ビットと１２８ビットとの２種類がある。また、上記「ＩＰアドレス」は、インターネットやイントラネット等のＩＰネットワークに接続されているコンピュータ１台１台に割り振られている識別番号である。
【００６０】
この中で、ユーザが加筆した設定情報入力シートが、他のユーザに見られてはならないものとして、ＷＥＰキーを設定した設定情報入力シートが挙げられる。ＷＥＰキーが、他のユーザに漏れると、無線通信の内容を傍受されることがある。
【００６１】
そこで、実施例１では、セキュリティを意識した設定情報入力シートを用いたＷＥＰキーを設定する。
【００６２】
図５は、本発明の実施例１である電子機器の設定における処理を示すフローチャートである。
【００６３】
この電子機器の設定における処理は、セキュリティの高い設定情報入力方法である。
【００６４】
Ｓ１では、無線ＬＡＮのＷＥＰキーの設定を行うための設定情報入力シートを作成する。実施例１における無線ＬＡＮのＷＥＰキーの設定では、ＷＥＰキー設定ナビシート（６４ｂｉｔ）、ＷＥＰキー設定ナビシート（１２８ｂｉｔ）の計２種類の設定情報入力シートを作成する。これらは、ユーザが無線ＬＡＮを設定するときに、操作表示部８において、どちらの設定情報入力シートを印刷するかを選ぶことによって、作成要求が出される。
【００６５】
Ｓ２では、記録部１５が、Ｓ１で作成された設定情報入力シートを印刷する。
【００６６】
図６は、印刷されたＷＥＰキー設定ナビシート（６４ｂｉｔ）を示す図である。
【００６７】
図７は、ＷＥＰキー設定ナビシート（１２８ｂｉｔ）を示す図である。
【００６８】
Ｓ３では、Ｓ２で印刷された設定情報入力シートへ、設定情報入力作業者が加筆する。図６に示すＷＥＰキー設定ナビシート（６４ｂｉｔ）では、接続するＰＣやアクセスポイントの６４ｂｉｔのＷＥＰキーを設定する。６４ｂｉｔのＷＥＰキーを設定するには、０〜Ｆまでの１６進数で１０桁を指定する必要があるので、Ｓ２１では、該当する部分における○の部分をマークし（塗りつぶし）、図６に示すＳ２２に書いてある手順で，ＷＥＰキー設定ナビシート（６４ｂｉｔ）を、読取部７が読み取る。
【００６９】
図８は、図６に示すＷＥＰキー設定ナビシート（６４ｂｉｔ）の記入例を示す図である。
【００７０】
図８に示す例では、「３４３５３２３６３４」の１６進数の１０桁が指定されている。
【００７１】
これと同様に、図７に示すＷＥＰキー設定ナビシート（１２８ｂｉｔ）では、接続するＰＣやアクセスポイントの１２８ｂｉｔのＷＥＰキーを設定する。１２８ｂｉｔのＷＥＰキーを設定するには、０〜Ｆまでの１６進数で２５桁を指定する必要があるので、Ｓ３１では、これらをマークし、Ｓ３２に書いてある手順で、ＷＥＰキー設定ナビシート（１２８ｂｉｔ）を、読取部７が読み取る。
【００７２】
Ｓ４では、Ｓ３で加筆された設定情報入力シートを読み取る。複合機１０の原稿台に置かれ、ユーザによって加筆された設定情報入力シートを、読取部７が読み取る。設定情報入力シートを読み取る場合、たとえば２値化した読取データを、ＲＡＭ３に格納する。格納されたデータは、後述する各種マーク判定処理や、どの種類の設定情報入力シートかの判定等で参照される。
【００７３】
Ｓ５では、Ｓ４で読み取ったデータを解析する。まず、読み取った設定情報入力シートが、ＷＥＰキー設定ナビシート（６４ｂｉｔ）であるか、ＷＥＰキー設定ナビシート（１２８ｂｉｔ）であるかを判定する。これは、図６、図７に示す各種設定情報入力シートには記載していないが、各種設定情報入力シート上に、どのシートであるかを示す情報を印刷し、Ｓ４での読取時にどのシートであるかを判別する。また、ユーザが設定情報入力シートの読取を開始するときに、表示操作部８上で、いずれのシートを選択するようにしてもよい。
【００７４】
上記方法で、ＷＥＰキー設定ナビシート（６４ｂｉｔ）であると判断すると、Ｓ４で読み取ったデータから、６４ｂｉｔのＷＥＰキーとして、１０桁分の０〜Ｆの１６進数を抽出する。また、上記と同様に、ＷＥＰキー設定ナビシート（１２８ｂｉｔ）であると判断すると、Ｓ４で読み取ったデータから、１２８ｂｉｔのＷＥＰキーとして、２５桁分の０〜Ｆの１６進数を抽出する。
【００７５】
ここで、１０桁分の０〜Ｆの１６進数のうちで、どれがマークされているかを判定するマーク判定処理の方法に関して特に規定しないが、たとえば、マーク位置を検出する場合、解析したい任意の場所のマーク座標を、ＲＯＭ２に予め記憶し、上記マーク座標に該当するアドレスから、誤差を含めた範囲を解析し、任意の条件を満たす座標を、解析対象のマークであると判別するようにしてもよい。また、上記判別されたマーク欄に該当する読取データを、任意の閾値と比較することによって、マーキングされたか否かを判別するようにしてもよい。
【００７６】
また、実施例１ではマークの有効、無効について特に規定しないが、たとえば、複数のマーク欄から、ただ１つをマークすべきであるときに、複数のマークが検出されれば、エラーと判断するようにしてもよい。
【００７７】
Ｓ６では、Ｓ５で読み取ったデータを設定する。ＷＥＰキー設定ナビシート（６４ｂｉｔ）であれば、６４ｂｉｔのＷＥＰキーを無線ＬＡＮユニット３０に設定する。また、上記と同様に、ＷＥＰキー設定ナビシート（１２８ｂｉｔ）であれば、１２８ｂｉｔのＷＥＰキーを、無線ＬＡＮユニット３０に設定する。
【００７８】
Ｓ７では、Ｓ３においてユーザによって加筆されたＷＥＰキーが記述されている設定情報入力シートを、読み取った後に上書きする。まず、Ｓ４で設定情報入力シートを読み取るために、複合機１０の原稿台にセットした設定情報入力シートを、複合機１０の給紙トレイに入れなければならない。その後、操作表示部８において決められたボタンをユーザが押すと、給紙トレイにセットされた設定情報入力シートへ上書きする。
【００７９】
上記操作をユーザに促すために、操作表示部１０８のＬＣＤにその旨の表示をするようにしてもよい。また、その表示が行われている間、つまり、操作表示部８の決められたボタンを押し、上書き印刷が完了するまで、他の操作ができないようにしてもよい。
【００８０】
図９は、ＷＥＰキー設定ナビシート（６４ｂｉｔ）へ上書きした場合における上書き後のＷＥＰキー設定ナビシート（６４ｂｉｔ）を示す図である。
【００８１】
図６に示すＷＥＰキー設定ナビシート（６４ｂｉｔ）において、図９に示す例では、印刷された部分が全て黒く塗りつぶされている。これによって、ユーザが加筆したパスワードの部分が見えなくなり、これによってセキュリティが保たれる。また、図９に示す例では、ＷＥＰキー設定ナビシート（６４ｂｉｔ）の全面を塗りつぶしているが、パスワードの加筆部分だけを黒く塗りつぶす方式、数回同じところを黒く塗りつぶす方式、両面を黒く塗りつぶす方式等のいずれの方式でもよい。また、全然関係のない文書を印刷し、設定情報入力シートであることが分らないようにする方式を採用するようにしてもよい。
【実施例２】
【００８２】
本発明の実施例２は、記録部の反射型光学センサを用いて設定情報入力シートを読み取り、ユーザが加筆した設定情報入力シートを読取・解析・設定すると同時に、加筆された設定情報入力シートを自動的に上書きする実施例である。
【００８３】
図１０は、複合機１０の斜視図である。
【００８４】
図１１は、図１０に示す複合機１０の中央断面図である。
【００８５】
複合機１０は、図１０、図１１に示すように、大きく分けると、読取部７と、操作表示部８と、記録部１５とによって構成されている。
【００８６】
次に、図１１に示す記録部１５において、記録紙が給紙、印字、排紙される流れについて説明する。
【００８７】
図１１に示すように、記録紙トレイ４０に積載されている記録紙は、矢印Ａの方向に搬送される。記録紙トレイ４０に積載された記録紙は、図示しないカムによって、中板４１が押し上げられ、給紙ローラ４２と分離ローラ４３とによって、１枚に分離され、給送される。この分離機構において、実際に駆動されるものは、給紙ローラ４２であり、分離ローラ４３は、回転方向に一定以上のトルクがかからないと回転せず、複数枚の紙がこのローラ間に入ったときに、紙を分離する力よりも、分離ローラを回転させる力が強いので、１枚ずつ記録紙を搬送することができる。
【００８８】
これらのローラで分離された原稿は、搬送ローラ４４とピンチコロ４５との間に搬送され、一定速度でインクジェット印字部に搬送される。
【００８９】
図１２は、実施例２において、正面から、カートリッジドア６０を開けた状態を示す図である。
【００９０】
インクジェット印字部７０には、プリントヘッドを一体的に構成しているカートリッジ６１と、各色インクタンク６２とが装着されている。カートリッジ６１は、ガイドシャフト４６にガイドされたキャリッジ５０に装着された状態で、記録紙の送り方向に対して垂直方向に動かすことによって、記録紙に印字する。印字された記録紙は、排紙ローラ対４７によって、記録紙排紙トレイ４８に排出される。キャリッジ５０には、反射型光学センサ４９が設けられている。図１１に示す反射型光学センサ４９は、レジ調パターンが記録された部分に光を照射するとともにその反射光を受光し、パターンの濃度を検出する。これによって、ヘッドの位置調整を行う。
【００９１】
上記流れによって、記録部１５において、記録紙が給紙、印字、排紙される。
【００９２】
図１３は、図１１に示す主な機構について、理解し易いように抜き出した図である。
【００９３】
記録紙は、図１３の矢印Ｂの方向に搬送され、給紙ローラ４２、搬送ローラ４４を通って、反射型光学センサ４９を通る。その後、インクジェット印字部７０において印字され、排紙ローラ対４７によって排紙される。
【００９４】
次に、反射型光学センサ４９が設定情報入力シートを読み取る動作について説明する。
【００９５】
図１４は、実施例２において、反射型光学センサ４９が設定情報入力シートを読み取る動作を示すフローチャートである。
【００９６】
Ｓ１１〜Ｓ１３における設定情報入力シートを、作成し、印刷し、加筆する処理は、実施例１における処理Ｓ１〜Ｓ３と同じであるので、その説明を省略する。ただし、図６〜図８におけるＳ２２やＳ３２における「２−１」に記述されている「ＷＥＰキー設定ナビシートを原稿台にのせる」を、「給紙トレイにＷＥＰキー設定ナビシートをセットする」に読み替える。
【００９７】
Ｓ１４では、Ｓ１３で加筆された設定情報入力シートを読み取り、上書きする。
【００９８】
まず、ユーザが加筆した設定情報入力シートを、記録紙トレイ４０に置き、給紙ローラ４２や搬送ローラ４４等によって送り、反射型光学センサ４９が順次、読み取る。設定情報入力シートを読み取る場合、たとえば、ユーザがマーク可能な部分に光を照射し、反射型光学センサ４９が、上記反射光を受光し、濃度を検出し、読み取った結果を、ＲＡＭ３に格納する。格納されたデータは、後述する各種マークを判定処理する場合や、どの種類の設定情報入力シートであるかを判定等する場合に参照される。
【００９９】
次に、設定情報入力シートのうちで、読み取りを終了した部分が、搬送ローラ４４等によって、送り一定速度でインクジェット印字部７０に搬送されるので、順次、設定情報入力シートを読み取った後に、上記設定情報入力シートを上書きする。
【０１００】
上記のように、設定情報入力シートの情報を順次、読取し、上書き印刷する。
【０１０１】
図９に示す上書きした例では、図６に示すＷＥＰキー設定ナビシート（６４ｂｉｔ）は、その印刷された部分が全て黒く塗りつぶされている。これによって、ユーザが加筆したパスワードが見えなくなり、これによって、セキュリティが保たれる。
【０１０２】
また、図９に示す例では、ＷＥＰキー設定ナビシート（６４ｂｉｔ）の全面を塗りつぶしているが、パスワードの加筆部分だけを黒く塗りつぶす方式でもよく、または、同じところを数回黒く塗りつぶす方式でもよく、両面を黒く塗りつぶす方式等でもよい。
【０１０３】
また、ユーザが加筆した文書と全く関係のない文書を印刷し、設定情報入力シートであることが分らないようにする方式を採用するようにしてもよい。
【０１０４】
また、設定情報入力シートの全ての読取を先に実行し、その後に、搬送ローラ４４等を反対に動かすことによって、設定情報入力シートの頭から印刷できる位置まで、設定情報入力シートを、図１１に示す矢印Ａと逆の方向に送り、搬送ローラ４４等を従来の矢印Ａ方向に再び動かすことによって、設定情報入力シートの頭から上書き印刷を行うような方式を採用するようにしてもよい。
【０１０５】
次に、Ｓ１５、Ｓ１６における設定情報入力シートを解析し、設定する処理は、実施例１におけるＳ５、Ｓ６における処理と同じであるので、その説明を省略する。
【０１０６】
なお、上記実施例は、無線ＬＡＮ対応の複合機であるが、無線ＬＡＮ対応の複合機の代わりに、パスワードの設定等、他のユーザに見られては困る情報を設定するあらゆる電子機器に、上記実施例を適用するようにしてもよい。
【０１０７】
上記実施例を適用することができる電子機器は、たとえば、スキャナ、パソコン、ＰＤＡ等のＯＡ機器、エアコン、冷蔵庫、洗濯機等の情報家電である。
【０１０８】
上記実施例は、複合機のように設定情報入力シートの読取手段としての読取部７は持たないが、レジ調整のための反射型光学センサ４９を持つプリンタのアクセスポイント等のネットワークの設定に有効である。また、設定情報入力シートを記録する記録部が、両面記録機構をもつものであれば、ユーザにより情報が記入されたりマークが塗られたりしている設定情報入力シートを搬送して、１回目の搬送で、上記反射型光学センサ４９により設定情報入力シート状に記入された情報や塗られたマークを読み取り、それを両面記録機構の反転機構を用いて裏返して１回空送りして、さらにもう一度反転機構により裏返す。このようにすれば、ユーザにより情報が記入されたりマークが塗られたりしている面が反射型光学センサ４９の側になるように搬送できる。したがって、そのときに、記録部で設定情報入力シートの上書きを行えば、ユーザが２度記録紙をセットする必要が無く、設定情報入力シート状に記入された情報や塗られたマークを読み取り、さらに上書きすることが自動的に出来、ユーザの手間を省くことが出来る。
【０１０９】
また、複合機やプリンタに限らず、無線ネットワークや有線ネットワークにつながる全ての電子機器のアクセスポイント等のネットワーク設定に、上記実施例は、有効である。
【０１１０】
また、上記実施例は、設定情報入力シートの読み取りに関して、ユーザが○印を塗りつぶした部分を認識するマークシート方式であるが、これに限らず、たとえば、設定情報入力シートに、ユーザが手書き文字で設定情報を加筆し、これを光学式文字読取方式（Ｏｐｔｉｃａｌ  Ｃｈａｒａｃｔｅｒ  Ｒｅａｄｅｒ：ＯＣＲ）によって読み取り、ユーザが記入した文字を認識し、電子機器の設定を行う方式に、上記実施例を適用するようにしてもよい。
【０１１１】
また、設定情報入力シートを記録する記録部は、インクジェットプリンタ方式の記録部に限らず、電子写真方式、熱転写方式など、他の記録方式でもよい。
【０１１２】
なお、上記実施例をプログラムの発明として把握することができる。つまり、上記実施例は、電子機器の設定を入力する場合、設定情報入力シートを作成する設定情報入力シート作成手順と、上記設定情報入力シートを印刷する設定情報入力シート印刷手順と、設定情報入力作業者によって加筆された上記設定情報入力シートを、読取手段が読み取る設定情報読取手順と、上記読取手順で読み取った情報を解析し、設定項目毎に、設定情報を識別し、記憶装置に記憶する設定情報解析手順と、上記設定情報解析手順で識別された設定情報を、上記電子機器に設定する設定情報設定手順と、上記設定情報入力作業者によって加筆された設定情報入力シートを読み取った後に、上記加筆された設定情報入力シートを上書きする設定情報入力シート上書き手順とをコンピュータに実行させるプログラムの例である。
【図面の簡単な説明】
【０１１３】
【図１】本発明の実施例１である画像処理システム１００の全体の構成を示すブロック図である。
【図２】複合機１０の概略構成を示すブロック図である。
【図３】ＰＣ２０の構成例を示すブロック図である。
【図４】無線ＬＡＮユニット３０を示すブロック図である。
【図５】本発明の実施例１である電子機器の設定における処理を示すフローチャートである。
【図６】印刷されたＷＥＰキー設定ナビシート（６４ｂｉｔ）を示す図である。
【図７】ＷＥＰキー設定ナビシート（１２８ｂｉｔ）を示す図である。
【図８】図６に示すＷＥＰキー設定ナビシート（６４ｂｉｔ）の記入例を示す図である。
【図９】ＷＥＰキー設定ナビシート（６４ｂｉｔ）へ上書きした場合における上書き後のＷＥＰキー設定ナビシート（６４ｂｉｔ）を示す図である。
【図１０】複合機１０の斜視図である。
【図１１】図１０に示す複合機１０の中央断面図である。
【図１２】実施例２において、正面から、カートリッジドア６０を開けた状態を示す図である。
【図１３】図１１に示す主な機構について理解し易いように抜き出した図である。
【図１４】実施例２において、反射型光学センサ４９が設定情報入力シートを読み取る動作を示すフローチャートである。
【符号の説明】
【０１１４】
１００…画像処理システム、
１０…複合機、
２０…ＰＣ、
３０…無線ＬＡＮユニット、
ＡＰ１、ＡＰ２、ＡＰ３…アクセスポイント。
【図１】
2006338292.tif 000003
【図２】
2006338292.tif 000004
【図３】
2006338292.tif 000005
【図４】
2006338292.tif 000006
【図５】
2006338292.tif 000007
【図６】
2006338292.tif 000008
【図７】
2006338292.tif 000009
【図８】
2006338292.tif 000010
【図９】
2006338292.tif 000011
【図１０】
2006338292.tif 000012
【図１１】
2006338292.tif 000013
【図１２】
2006338292.tif 000014
【図１３】
2006338292.tif 000015
【図１４】
2006338292.tif 000016